(57)【特許請求の範囲】
【請求項１】
Ｈｏｍｅ  ＧＭＬＣ（Ｇａｔｅｗａｙ  Ｍｏｂｉｌｅ  Ｌｏｃａｔｉｏｎ  Ｃｅｎｔｅｒ）と、Ｖｉｓｉｔｅｄ  ＧＭＬＣ（Ｇａｔｅｗａｙ  Ｍｏｂｉｌｅ  Ｌｏｃａｔｉｏｎ  Ｃｅｎｔｅｒ）とを含むネットワークシステムにおいて、ターゲット端末の位置情報を提供する方法であって、前記方法は、
前記Ｈｏｍｅ  ＧＭＬＣによって、ＬＣＳクライアントから、前記ターゲット端末の前記位置情報に対する第１のＬＣＳサービス要求メッセージを受信することと、
前記Ｈｏｍｅ  ＧＭＬＣによって、前記ターゲット端末の位置決定に対する第１のプライバシーチェックを行うことと、
前記Ｈｏｍｅ  ＧＭＬＣによって、第２のＬＣＳサービス要求メッセージを前記Ｖｉｓｉｔｅｄ  ＧＭＬＣに送信することと、
前記Ｈｏｍｅ  ＧＭＬＣによって、前記ターゲット端末の現在の位置情報を含む第１のＬＣＳサービス応答メッセージを受信することと、
前記Ｈｏｍｅ  ＧＭＬＣによって、第２のプライバシーチェックを行うことによって、前記Ｈｏｍｅ  ＧＭＬＣが、前記現在の位置情報を前記ＬＣＳクライアントに転送し得るか、または、前記第２のプライバシーチェックの結果が前記現在の位置情報に基づく通知および検証を必要とする場合に第３のＬＣＳサービス要求メッセージを送信し得るかを決定することであって、前記第２のプライバシーチェックは、前記ターゲット端末の前記現在の位置情報を含む前記第１のＬＣＳサービス応答メッセージを受信した後に行われる、ことと、
前記第２のプライバシーチェックを行った後に、前記第２のプライバシーチェックの前記結果が前記現在の位置情報に基づく前記通知および検証を要求するものである場合に、前記Ｈｏｍｅ  ＧＭＬＣによって、前記第３のＬＣＳサービス要求メッセージを送信することと、
前記第２のプライバシーチェックを行った後に、前記第３のＬＣＳサービス要求メッセージに応答して、前記Ｈｏｍｅ  ＧＭＬＣによって、第２のＬＣＳサービス応答メッセージを受信することであって、前記第２のＬＣＳサービス応答メッセージは、前記ターゲット端末による前記現在の位置情報に基づく前記通知および検証の結果の指示とともに受信される、ことと、
前記ターゲット端末の前記現在の位置の報告が許可されることを前記結果の指示が示す場合に、前記Ｈｏｍｅ  ＧＭＬＣによって、前記ターゲット端末の前記現在の位置情報を含む第３のＬＣＳサービス応答メッセージを送信することと
を含む、方法。
【請求項２】
前記第１のＬＣＳサービス要求メッセージは、Ｒｅｑｕｅｓｔ  ＧＭＬＣを介して受信される、請求項１に記載の方法。
【請求項３】
前記Ｒｅｑｕｅｓｔ  ＧＭＬＣは、Ｈｏｍｅ  ＧＭＬＣのアドレスを要求するために、Ｈｏｍｅ  Ｌｏｃａｔｉｏｎ  Ｒｅｇｉｓｔｅｒ（ＨＬＲ）／Ｈｏｍｅ  Ｓｕｂｓｃｒｉｂｅｒ  Ｓｅｒｖｅｒ（ＨＳＳ）にルーティング情報要求を送信し、前記ＬＣＳクライアントが前記ターゲット端末の前記位置情報を要求することを承認されているか否かを示す前記ルーティング情報要求の結果を受信する、請求項２に記載の方法。
【請求項４】
前記第１のＬＣＳサービス要求メッセージは、前記Ｈｏｍｅ  ＧＭＬＣまたはＰｒｉｖａｃｙ  Ｐｒｏｆｉｌｅ  Ｒｅｇｉｓｔｅｒ（ＰＰＲ）に保存されたターゲット端末のプライバシープロファイルに基づく前記第１のプライバシーチェックに従って承認される、請求項１に記載の方法。
【請求項５】
前記Ｈｏｍｅ  ＧＭＬＣによって、ルーティング情報要求メッセージを、前記ターゲット端末のＨｏｍｅ  Ｌｏｃａｔｉｏｎ  Ｒｅｇｉｓｔｅｒ（ＨＬＲ）／Ｈｏｍｅ  Ｓｕｂｓｃｒｉｂｅｒ  Ｓｅｒｖｉｃｅ（ＨＳＳ）に送信することをさらに含む、請求項１に記載の方法。
【請求項６】
前記ルーティング情報要求メッセージに応答して、前記Ｈｏｍｅ  ＧＭＬＣによって、ルーティング情報応答メッセージを受信することをさらに含む、請求項５に記載の方法。
【請求項７】
前記ルーティング情報応答メッセージは、Ｓｅｒｖｉｎｇ  ＧＰＲＳ  Ｓｕｐｐｏｒｔｅｄ  Ｎｏｄｅ（ＳＧＳＮ）およびＭｏｂｉｌｅ  Ｓｗｉｔｃｈｉｎｇ  Ｃｅｎｔｅｒ（ＭＳＣ）／Ｖｉｓｉｔｅｄ  Ｍｏｂｉｌｅ  Ｓｗｉｔｃｈｉｎｇ  Ｃｅｎｔｅｒ（ＶＭＳＣ）のアドレスのうちの少なくとも１つを含む、請求項６に記載の方法。
【請求項８】
前記ターゲット端末の前記現在の位置情報は、Ｒａｄｉｏ  Ａｃｃｅｓｓ  Ｎｅｔｗｏｒｋ（ＲＡＮ）と、前記ターゲット端末との間の位置決定を行うことによって計算される、請求項１に記載の方法。
【請求項９】
前記結果の前記指示は、前記現在の位置情報の報告が前記ターゲット端末によって許可されるか、または許可されないかを示すものである、請求項１に記載の方法。
【請求項１０】
Ｖｉｓｉｔｅｄ  Ｍｏｂｉｌｅ  Ｓｗｉｔｃｈｉｎｇ  Ｃｅｎｔｅｒ（ＶＭＳＣ）によって、Ｖｉｓｉｔｅｄ  ＧＭＬＣから加入者位置メッセージを受信することをさらに含む、請求項１に記載の方法。
【請求項１１】
前記ＶＭＳＣによって、前記ターゲット端末を用いた認証プロセスを行うことをさらに含む、請求項１０に記載の方法。
【請求項１２】
前記ターゲット端末にユーザ検証が必要であることを通知するために、前記ＶＭＳＣによって、前記ターゲット端末に位置通知メッセージを送信することをさらに含む、請求項１１に記載の方法。
【請求項１３】
Ｓｅｒｖｉｎｇ  ＧＰＲＳ  Ｓｕｐｐｏｒｔｅｄ  Ｎｏｄｅ（ＳＧＳＮ）によって、Ｖｉｓｉｔｅｄ  ＧＭＬＣから加入者位置メッセージを受信することをさらに含む、請求項１に記載の方法。
【請求項１４】
前記ターゲット端末にユーザ検証が必要であることを通知するために、前記ＳＧＳＮによって、前記ターゲット端末に位置通知メッセージを送信することをさらに含む、請求項１３に記載の方法。
【発明の詳細な説明】
【技術分野】
【０００１】
本発明は、無線通信システムにおける使用者の位置に基づいた位置情報サービスに関し、特に、使用者の位置に基づいて使用者のプライバシーチェックを利用して位置情報サービスを提供する方法に関する。
【背景技術】
【０００２】
一般に、使用者に位置情報サービスを提供するために、端末の位置を計算するためのユニットを移動通信ネットワークに備えることにより、周期的に又は使用者の要求に応じて端末の位置を所定エンティティに伝達する位置サービス（Ｌｏｃａｔｉｏｎ  Ｓｅｒｖｉｃｅ）を提供する。
【０００３】
前記位置サービスと関連したネットワーク構造は、３ＧＰＰ、３ＧＰＰ２、ＯＭＡ（Ｏｐｅｎ  Ｍｏｂｉｌｅ  Ａｌｌｉａｎｃｅ）などの内部ネットワーク構造によって異なり、現在端末の位置を計算する方法としては、前記端末が位置するセルのＩＤを伝送するセルＩＤ技術を利用する方式、前記端末から隣接した各基地局に信号が到達する時間を測定した後、三角測量を利用して前記端末の位置を計算する方法、ＧＰＳ（Ｇｌｏｂａｌ  Ｐｏｓｉｔｉｏｎｉｎｇ  Ｓｙｓｔｅｍ）を利用する方法などがある。
【０００４】
前記位置情報サービスは、特定クライアントから位置情報に関するプライバシーを保護するための方法も含む。
【０００５】
図１は、一般的なプライバシー保護方法を示す信号フローチャートであり、プライバシーチェックプロトコル（Ｐｒｉｖａｃｙ  Ｃｈｅｃｋｉｎｇ  Ｐｒｏｔｏｃｏｌ：ＰＣＰ）が利用される。
【０００６】
特定アプリケーション１０が特定使用者に関する位置情報を取得するために位置サーバ２０に位置情報要求メッセージを送信し（Ｓ１１）、前記位置サーバ２０は、前記使用者の位置情報に関するプライバシーを確認するためにＰＣＥ（Ｐｒｉｖａｃｙ  Ｃｈｅｃｋｉｎｇ  Ｅｎｔｉｔｙ）３０にプライバシー要求メッセージを送信する（Ｓ１３）。
【０００７】
前記位置サーバ２０から前記プライバシー要求メッセージを受信したＰＣＥ３０は、前記使用者の位置情報に関するプライバシー情報及び前記位置サーバ２０の動作に関する情報を確認する（Ｓ１５）。前記プライバシーに関する位置サーバ２０の動作情報をプライバシー応答メッセージにより前記位置サーバ２０に送信すると（Ｓ１７）、前記ＰＣＥ３０から前記プライバシー応答メッセージを受信した位置サーバ２０は、前記使用者の位置情報を位置情報応答メッセージの形態で前記アプリケーション２０に送信する（Ｓ１９）。
【０００８】
従来のＰＰＲにおいて定義されたプライバシープロファイルは、５つに大別される。
【０００９】
１）位置追跡が許可されない。
【００１０】
２）使用者に通知せずに位置追跡が許可される。
【００１１】
３）使用者に通知して位置追跡が許可される。
【００１２】
４）使用者通知及び検証が位置追跡に必要である。ここで、使用者により承認されるか、前記通知に対する応答がない場合にのみ、位置追跡が許可される。
【００１３】
５）使用者通知及び検証が位置追跡に必要である。ここで、使用者により承認される場合にのみ、位置追跡が許可される。
【００１４】
従来の位置情報システムでは、使用者の位置及び設定された条件に基づいた多様なプライバシー認証（管理）サービスを提供しない。特に、従来の位置情報システムには使用者の位置情報を考慮したプライバシープロファイルは存在しない。言い換えると、従来の位置情報システムでは、ターゲット使用者の位置に基づいて使用者の同意及び検証を行ういずれの方法も提供しない。
【発明の開示】
【発明が解決しようとする課題】
【００１５】
本発明の一態様は、前述したような従来の問題に対する本発明者らの認識を含む。このような認識に基づいて、本発明により使用者の位置に基づいた使用者のプライバシーチェックを利用して改善した位置情報サービスを提供する。
【００１６】
本発明の特徴が不明になることを防止するために、位置情報サービス方法及びシステムの一部属性は詳細に説明しない。しかしながら、追加的な属性も本発明の位置情報サービス方法及びシステムの一部であることを当業者は理解するであろう。
【００１７】
本発明の目的は、使用者が多様な位置又は地域に関するプライバシーを設定し、使用者の現在位置によってプライバシーを適用し、異なる位置では異なるプライバシーを有するようにする、使用者の位置に基づいた位置情報サービス提供方法を提供することにある。
【００１８】
本発明の他の目的は、位置追跡通知及び検証手順を行うことにより使用者が設定した好みの地域内の位置情報を報告するか否かを使用者が決定するようにして使用者の現在位置に基づいてプライバシーをさらに保護できる、使用者の位置に基づいた位置情報サービス提供方法を提供することにある。
【課題を解決するための手段】
【００１９】
このような目的を達成するために、ＬＲＥ（Ｌｏｃａｔｉｏｎ  Ｒｅｑｕｅｓｔｉｎｇ  Ｅｎｔｉｔｙ）（例えば、外部クライアント、ＳＵＰＬネットワークのＳＵＰＬエージェントなど）により要求された特定使用者の位置情報を伝送するシステムにおいて、本発明による位置情報サービス提供方法は、使用者が前記使用者により設定された好みの位置又は好みの地域に現在位置しているか否かを確認する過程と、前記使用者が前記好みの位置、又は好みの地域に現在位置している場合、該当好みの位置又は好みの地域内の位置情報に関するプライバシー情報を確認する過程と、前記プライバシー情報によって前記使用者の位置情報を前記ＬＲＥに報告するか否かを判断する過程とから構成される。
【００２０】
本発明の第１実施形態によると、使用者が１つ以上の好みの位置又は好みの地域及びそれぞれのプライバシーを設定したネットワークシステムにおいて、位置情報サービス提供方法は、ＬＲＥから使用者に関する位置情報要求メッセージを受信した位置サーバ（例えば、３ＧＰＰのＧＭＬＣ（Ｇａｔｅｗａｙ  Ｍｏｂｉｌｅ  Ｌｏｃａｔｉｏｎ  Ｃｅｎｔｅｒ）、ＳＵＰＬネットワークのＳＬＰ（ＳＵＰＬ  Ｌｏｃａｔｉｏｎ  Ｐｌａｔｆｏｒｍ）など）が使用者に対する位置追跡を行う過程と、前記使用者が前記設定された好みの位置又は好みの地域内に現在位置しているか否かを確認する過程と、該当好みの位置又は好みの地域内の位置情報によってプライバシーを確認する過程と、前記プライバシーを確認すると、前記使用者に前記位置情報の伝送を通知する通知手順を行うように要求する過程と、前記要求に対する応答を受信し、前記受信された応答によって前記使用者の位置情報を報告するか否かを決定する過程とから構成される。
【００２１】
本発明の第２実施形態によると、外部クライアントが３ＧＰＰエンティティに基づいてＨ−ＧＭＬＣ（Ｈｏｍｅ−Ｇａｔｅｗａｙ  Ｍｏｂｉｌｅ  Ｌｏｃａｔｉｏｎ  Ｃｅｎｔｅｒ）からＶ−ＧＭＬＣ（Ｖｉｓｉｔｅｄ−ＧＭＬＣ）に移動した使用者に関する位置情報を要求するシステムにおいて、位置情報サービス提供方法は、位置情報要求を受信したＨ−ＧＭＬＣが前記使用者の位置追跡に関するプライバシーを確認する過程と、前記Ｈ−ＧＭＬＣがＶ−ＧＭＬＣのアドレス情報を確認する過程と、前記Ｖ−ＧＭＬＣが前記使用者の位置追跡手順により位置情報を取得し、その位置情報を前記Ｈ−ＧＭＬＣに伝送する過程と、前記Ｈ−ＧＭＬＣが前記使用者の現在位置情報に基づいて位置情報に関するプライバシーを確認する過程と、位置情報に対して使用者の確認が必要である場合、前記Ｈ−ＧＭＬから前記Ｖ−ＧＭＬＣに通知要求メッセージを伝送する過程と、前記Ｖ−ＧＭＬＣと前記使用者間で位置情報通知手順を行う過程と、前記Ｖ−ＧＭＬＣが前記通知結果の含まれる検証応答メッセージを受信し、前記受信された検証応答メッセージを前記Ｈ−ＧＭＬＣに送信する過程と、前記検証メッセージを受信したＨ−ＧＭＬＣが前記結果に基づいて前記クライアントに前記使用者の位置情報を報告する過程とから構成される。
【００２２】
本発明の第３実施形態によると、３ＧＰＰエンティティで位置情報に対するプライバシーが設定されている回線サービス（Ｃｉｒｃｕｉｔ  Ｓｅｒｖｉｃｅ：ＣＳ）ドメイン内の使用者に関する位置情報を提供する方法において、位置情報サービス提供方法は、３ＧＰＰネットワークの特定クライアントから位置情報要求を受信したＧＭＬＣが前記使用者の位置追跡を行って位置情報を計算する過程と、前記ＧＭＬＣが前記位置情報を伝送するか否かに対する使用者通知及び検証を要求する通知メッセージを伝送する過程と、前記通知メッセージを受信したＶＭＳＣ／ＭＳＣ（Ｍｏｂｉｌｅ  ｓｅｒｖｉｃｅｓ  Ｓｗｉｔｃｈｉｎｇ  Ｃｅｎｔｅｒ）サーバが前記使用者に位置情報通知メッセージを送信する過程と、使用者の検証が要求された場合、前記ＶＭＳＣ／ＭＳＣサーバが該当使用者から検証結果を含む検証メッセージを受信する過程と、前記ＧＭＬＣが前記ＶＭＳＣ／ＭＳＣサーバから前記通知及び検証結果を含む通知応答メッセージを受信する過程と、前記ＧＭＬＣが前記使用者の位置情報を前記クライアントに報告する過程とから構成される。
【００２３】
本発明の第４実施形態によると、３ＧＰＰエンティティで位置情報に対するプライバシーが設定されているパケットサービスドメイン内の使用者に関する位置情報を提供する方法において、位置情報サービス提供方法は、３ＧＰＰネットワークの特定クライアントから位置情報要求を受信したＧＭＬＣが前記使用者の位置追跡を行って位置情報を計算する過程と、前記ＧＭＬＣが前記位置情報を伝送するか否かに対する使用者通知及び検証を要求する通知メッセージを伝送する過程と、前記通知メッセージを受信したＳＧＳＮ（Ｓｅｒｖｉｎｇ  ＧＰＲＳ  Ｓｕｐｐｏｒｔｅｄ  Ｎｏｄｅ）が前記使用者とセキュリティ手順を行う過程と、前記ＳＧＳＮが前記使用者に位置情報通知メッセージを送信する過程と、使用者の検証が要求された場合、前記ＳＧＳＮが該当使用者から検証結果を含む検証メッセージを受信する過程と、前記ＧＭＬＣが前記ＳＧＳＮから前記通知及び検証結果を含む通知応答メッセージを受信する過程と、前記ＧＭＬＣが前記使用者の位置情報を前記クライアントに伝送する過程とから構成される。
【発明を実施するための最良の形態】
【００２４】
以下、添付された図面を参照して本発明の好ましい実施形態を詳細に説明する。本発明の精神又は範囲内で多様な変更及び変形ができるという点を当業者は明確に理解するであろう。従って、本発明の請求の範囲及びその均等物の範囲内で行われる変更及び変形は本発明の請求の範囲に含まれる。
【００２５】
本発明は、使用者の位置情報に基づいたプライバシープロファイルをさらに定義することにより、使用者が設定した好みの位置又は好みの地域内で位置情報を報告する前に、該当使用者の同意を求める手順を行う。
【００２６】
一般に、前記プライバシープロファイルが追加された使用者の位置情報サービスにおいて、ネットワークサービスプロバイダは、常に位置情報を取得しなければならず、使用者はＰＰＲ（Ｐｒｉｖａｃｙ  Ｐｒｏｆｉｌｅ  Ｒｅｇｉｓｔｅｒ）、ＰＥＬ（Ｐｒｉｖａｃｙ  Ｅｘｃｅｐｔｉｏｎ  Ｌｉｓｔ）、ＰＣＥ（Ｐｒｉｖａｃｙ  Ｃｈｅｃｋｉｎｇ  Ｅｎｔｉｔｙ）などを設定することにより前記プライバシープロファイルを変更できる。また、一般にデフォルト条件で位置追跡の試みを拒否することもできる。ターゲット使用者又はユーザ装置（ｕｓｅｒ  ｅｑｕｉｐｍｅｎｔ：ＵＥ）から応答がない場合に適用されるデフォルト処理は、ターゲットＵＥ加入プロファイルに明示される。従って、一部の位置サービスの場合は、前記デフォルト処理によって位置追跡要求を受け入れることもあり、他の位置サービスの場合は、前記デフォルト処理によって位置追跡の試みを拒否することもある。
【００２７】
ホームネットワークは、多様な機関及び／又はネットワーク要求事項により要求された場合、ターゲットＵＥの位置情報を提供できるようにしたデフォルト環境を定義する能力を備えなければならない。
【００２８】
プライバシーチェックは、ターゲットＵＥ加入者のホーム環境で行われなければならない。これにより、オペレータがその加入者のプライバシーを報告できるようになる。すなわち、プライバシーチェックに利用されるプライバシー設定が前記ターゲットＵＥ加入者のホーム環境に記載されているように常にアップデートされる。
【００２９】
プライバシーチェックは、時刻及び加入者位置のようなホーム環境固有情報を考慮することができる。また、ホーム環境で利用できるように、プライバシーチェックが最新情報に基づいて行われるように保障される。
【００３０】
また、前記ターゲットＵＥ加入者は、位置情報（永久的に又は各試みごとに）へのアクセスを制限できる。前記ターゲットＵＥ加入プロファイルに記載されていない場合、ＬＣＳクライアントアクセスは制限される。また、ターゲットＵＥの位置追跡に対する特定許可がない場合、前記ターゲットＵＥに対する位置追跡を行うことができない。
【００３１】
一般に、特定区域、国家、及び地域プライバシー規制は、プライバシープロファイルが追加された位置情報サービスに従わなければならず、位置情報サービスのために複数層の許可が要求される。例えば、国家又は現地の規制要件（ｒｅｇｕｌａｔｏｒｙ  ｒｅｑｕｉｒｅｍｅｎｔｓ）により要求される委任位置基盤サービス（例えば、緊急サービスや合法的な傍受）によって特定プライバシー例外事項が存在する可能性がある。
【００３２】
時には、オペレータは、ターゲットＵＥの位置を判断する必要がある（例えば、合法的な傍受や緊急電話のために）。（現地の規制要件により要求される）緊急サービスの場合、緊急電話をかけるターゲットＵＥ（又は、ＭＥ）は前記ターゲットＵＥに関する加入者プライバシープロファイル値に関係なく位置追跡できる。
【００３３】
好ましくは、前記ターゲットＵＥ使用者には、いかなる位置追跡の試みについても通知されない。現地の規制要件により要求されているか、ターゲットＵＥ使用者が無効にする場合を除いては、前記ターゲットＵＥは、ＵＥ加入プロファイル（ＵＥ  Ｓｕｂｓｃｒｉｐｔｉｏｎ  Ｐｒｏｆｉｌｅ）に許可された場合にのみ位置追跡できる。
【００３４】
ＰＬＭＮ（Ｐｕｂｌｉｃ−Ｌａｎｄ−Ｍｏｂｉｌｅ−Ｎｅｔｗｏｒｋ）オペレータサービスの場合、ターゲットＵＥ加入者は、特定タイプのサービスを改善又はサポートするために使用される位置情報へのアクセスを制限できる。前記ターゲットＵＥ加入プロファイルに記載されていない場合、ＬＣＳクライアントアクセスは制限される。前記ターゲットＵＥ使用者には、いかなる許可された位置追跡の試みについても通知されない。また、（現地の規制要件により要求される）合法的な傍受サービスの場合は、現地の規制要件により要求される全ての環境でターゲットＵＥの位置追跡ができる。
【００３５】
従って、全ての位置要求（ｌｏｃａｔｉｏｎ  ｒｅｑｕｅｓｔｓ：ＬＲｓ）は、次の場合を除いてはプライバシーチェックと共に行われる。１）合法的な傍受と関連したＬＲ、２）緊急呼び出しと関連したＬＲ、３）統計目的及びＯ＆Ｍ目的の匿名の追跡と関連したサービングネットワークからのＬＲ、４）ホームネットワークオペレータがその内部目的によって要求するホームネットワークからのＬＲ。
【００３６】
前記ホームネットワークオペレータは、プライバシーチェックなしに訪問ネットワークから取得したＵＥの位置情報を、付加価値サービスのために又はそのような位置情報を第３者に伝送するためには利用することができない。
【００３７】
ここで、本発明の一例として、前述した３ＧＰＰに準拠した従来のＰＰＲ（Ｐｒｉｖａｃｙ  Ｐｒｏｆｉｌｅ  Ｒｅｇｉｓｔｅｒ）に定義された５つのプライバシープロファイルだけでなく、使用者の現在位置に応じて使用者通知及び検証を行うために、８つのプロファイル（６〜１３）が追加される。ここで、前記追加された８つのプロファイルは、使用者の現在位置によってそれぞれ異なるプライバシーを設定する場合に使用される。
【００３８】
以下、本発明の一実施例として３ＧＰＰに準拠したＰＰＲに定義された１３のプライバシープロファイルについて説明する。
【００３９】
１）位置追跡が許可されない。
【００４０】
２）使用者に通知せずに位置追跡が許可される。
【００４１】
３）使用者に通知して位置追跡が許可される。
【００４２】
４）使用者通知及び検証が位置追跡に必要である。ここで、使用者により承認されるか、前記通知に対する応答がない場合にのみ、位置追跡が許可される。
【００４３】
５）使用者通知及び検証が位置追跡に必要である。ここで、使用者により承認される場合にのみ位置追跡が許可される。
【００４４】
６）使用者の現在位置に基づいた使用者通知及び検証が位置情報報告に必要である。ここで、位置追跡は、使用者に通知されずに行われ、位置情報報告は、使用者により承認されるか、通知に対する応答を受信していない場合に行われる。
【００４５】
７）使用者の現在位置に基づいた使用者通知及び検証が位置情報報告に必要である。ここで、位置追跡は、使用者に通知されずに行われ、位置情報報告は、使用者により承認される場合にのみ行われる。
【００４６】
８）使用者の現在位置に基づいた使用者通知及び検証が位置情報報告に必要である。ここで、位置追跡は、使用者に通知した後に行われ、位置情報報告は、使用者により承認されるか、通知に対する応答を受信していない場合に行われる。
【００４７】
９）使用者の現在位置に基づいた使用者通知及び検証が位置情報報告に必要である。ここで、位置追跡は、使用者に通知した後に行われ、位置情報報告は、使用者に承認される場合にのみ行われる。
【００４８】
１０）使用者の現在位置に基づいた使用者通知及び検証が位置情報報告に必要である。ここで、位置追跡は、使用者通知及び検証過程の実施後に行われ、使用者により承認されるか、通知に対する応答を受信していない場合にも行われる。また、位置情報報告は、使用者により承認される場合にのみ行われる。
【００４９】
１１）使用者の現在位置に基づいた使用者通知及び検証が位置情報報告に必要である。ここで、位置追跡は、使用者通知及び検証過程の実施後に行われ、使用者により承認されるか、通知に対する応答を受信していない場合にも行われる。また、位置情報報告は、前記位置追跡のように、使用者により承認されるか、通知に対する応答を受信していない場合にも行われる。
【００５０】
１２）使用者の現在位置に基づいた使用者通知及び検証が位置情報報告に必要である。ここで、位置追跡は、使用者により承認される場合にのみ、使用者通知及び検証過程の実施後に行われる。また、位置情報報告は、使用者により承認されるか、通知に対する応答を受信していない場合にも行われる。
【００５１】
１３）使用者の現在位置に基づいた使用者通知及び検証が位置情報報告に必要である。ここで、位置追跡は、使用者通知及び検証過程の実施後に行われるが、使用者により承認される場合にのみ行われる。また、位置情報報告は、前記位置追跡のように、使用者により承認される場合にも行われる。
【００５２】
ここで、本発明のプライバシーに追加された属性は、６）〜１３）のプロファイルである。使用者により予め設定された好みの位置又は好みの地域内で位置情報を報告する前に使用者の同意を求めるためには、該当使用者に対する位置追跡の実施後に計算された位置値に基づいて使用者の同意を求める手順がさらに必要である。本発明による位置情報サービス提供方法を簡略に説明する。
【００５３】
まず、特定使用者が１つ以上の位置又は地域で使用者の位置情報を第３の使用者又は他のネットワークエンティティに伝送するか否かを、前記使用者の位置情報に関するプライバシープロファイルの１つを利用して設定する。ここで、前記使用者が位置情報に関するプライバシープロファイルを設定した位置又は地域を１つの使用者の好みの領域に設定する。すなわち、使用者は、移動しながら１つ以上の使用者の好みの領域と各好みの領域のプライバシープロファイルを設定できる。
【００５４】
前記使用者により設定された好みの領域におけるプライバシープロファイル、すなわち、使用者の位置情報を伝送するか否か及び使用者の同意手順を要求するか否かに関する情報は、ＰＰＲ又は別途の保存部に保存される。
【００５５】
第３の使用者又はネットワークエンティティから前記使用者に関する位置情報が要求された場合、前記特定使用者は、前記ＰＰＲに接続して使用者により設定された位置情報に関するプライバシープロファイルを確認する。
【００５６】
前記プライバシープロファイルが使用者の現在位置に基づいた通知及び検証の要求に関連している場合、前記特定使用者は、前記使用者の位置情報を伝送するか否か及び使用者の同意手順を要求するか否かに関する情報を確認する。その後、前記特定使用者は、該当使用者の位置情報を伝送するか否かを決定する。次に、前記第３の使用者又は他のネットワークのエンティティからの位置情報要求のための後続の手順が行われる。
【００５７】
図２は、本発明による位置情報サービス提供方法の一実施形態を示す信号フローチャートであり、パケットサービス（ＰＳ）ドメインと回線サービス（ＣＳ）ドメインにおけるＭＴ−ＬＲ（Ｍｏｂｉｌｅ  Ｔｅｒｍｉｎａｔｉｎｇ  Ｌｏｃａｔｉｏｎ  Ｒｅｑｕｅｓｔ）手順である。
【００５８】
位置情報サービスが実現されるネットワークは、ＬＣＳクライアント４１と、ＧＭＬＣ４３、４５、４９と、ＨＬＲ（Ｈｏｍｅ  Ｌｏｃａｔｉｏｎ  Ｒｅｇｉｓｔｅｒ）／ＨＳＳ（Ｈｏｍｅ  Ｓｕｂｓｃｒｉｂｅｒ  Ｓｅｒｖｅｒ）４７と、ＭＳＣ（Ｍｏｂｉｌｅ  ｓｅｒｖｉｃｅｓ  Ｓｗｉｔｃｈｉｎｇ  Ｃｅｎｔｅｒ）／ＳＧＳＮ（Ｓｅｒｖｉｎｇ  ＧＰＲＳ  Ｓｕｐｐｏｒｔｅｄ  Ｎｏｄｅ）５１と、ＲＡＮ（Ｒａｄｉｏ  Ａｃｃｅｓｓ  Ｎｅｔｗｏｒｋ）５３と、位置情報が要求されたターゲット使用者（例えば、ターゲットＵＥ）５５とから構成される。
【００５９】
前記ＧＭＬＣは、位置情報を要求するネットワークの要求（Ｒｅｑｕｅｓｔｉｎｇ）−ＧＭＬＣ（以下、Ｒ−ＧＭＬＣという）４３と、使用者のホームネットワークのＧＭＬＣであるホーム（Ｈｏｍｅ）−ＧＭＬＣ（以下、Ｈ−ＧＭＬＣという）４５と、前記使用者が第３のネットワークに移動した場合に使用者が移動したＧＭＬＣである訪問（Ｖｉｓｉｔｅｄ）−ＧＭＬＣ（以下、Ｖ−ＧＭＬＣという）４９とを含む。
【００６０】
本発明においては、ＬＣＳクライアント４１により位置情報が要求されたターゲット使用者５５が第３ネットワークに移動したと仮定する。以下、前記ターゲット使用者５５は「使用者」と略称する。
【００６１】
外部の位置サービスクライアント（Ｌｏｃａｔｉｏｎ  Ｓｅｒｖｉｃｅ  Ｃｌｉｅｎｔ：以下、ＬＣＳクライアントという）４１は、特定ターゲット使用者５５の位置情報を要求するためにＲ−ＧＭＬＣ４３に位置情報要求メッセージ（例えば、ＬＣＳ  Ｓｅｒｖｉｃｅ  Ｒｅｑｕｅｓｔ）を送信する（Ｓ２１）。
【００６２】
前記位置情報要求メッセージを受信したＲ−ＧＭＬＣ４３は、前記ＬＣＳクライアント４１のＩＤを確認して有効なクライアントであるか否かを検証する。また、前記Ｒ−ＧＭＬＣ４３は、前記使用者５５のプライバシープロファイルが前記Ｒ−ＧＭＬＣ４３に保存されているか否かを確認する。ここで、前記プライバシープロファイルが前記Ｒ−ＧＭＬＣ４３に保存されている場合、前記Ｒ−ＧＭＬＣ４３が前記使用者５５のＨ−ＧＭＬＣ４５であるため、前記Ｈ−ＧＭＬＣ４５のアドレス取得のための一連の過程（Ｓ２２、Ｓ２３）と、前記Ｒ−ＧＭＬＣ４３とＨ−ＧＭＬＣ４５間のメッセージ交換過程（Ｓ２４、Ｓ３７）は省略できる。また、前記Ｒ−ＧＭＬＣ４３が前記Ｈ−ＧＭＬＣ４５のアドレスを認知している場合、前記Ｈ−ＧＭＬＣ４５のアドレスを取得するための一連の過程（Ｓ２２、Ｓ２３）が省略できる。
【００６３】
前記Ｒ−ＧＭＬＣ４３がＨ−ＧＭＬＣ４５ではなく、前記Ｈ−ＧＭＬＣ４５のアドレスを認知していない場合、前記Ｒ−ＧＭＬＣ４３は、前記Ｈ−ＧＭＬＣ４５のアドレスを要求するために前記使用者のホームネットワークのＨＬＲ／ＨＳＳ４７にルーティング情報要求メッセージ（Ｓｅｎｄ  Ｒｏｕｔｉｎｇ  Ｉｎｆｏ  Ｆｏｒ  ＬＣＳ）を伝送する（Ｓ２２）。前記ＨＬＲ／ＨＳＳ４７は、前記Ｒ−ＧＭＬＣ４３が前記使用者５５の位置情報を要求する権限を有しているか否かを確認した後、前記Ｈ−ＧＭＬＣ４５のアドレスをルーティング情報要求確認メッセージ（例えば、Ｓｅｎｄ  Ｒｏｕｔｉｎｇ  Ｉｎｆｏ  Ｆｏｒ  ＬＣＳ  ａｃｋ）により前記Ｒ−ＧＭＬＣ４３に伝送する（Ｓ２３）。
【００６４】
前記ルーティング情報要求確認メッセージを受信したＲ−ＧＭＬＣ４３は、前記Ｈ−ＧＭＬＣ４５に前記使用者５５に関する位置情報要求メッセージ（例えば、ＬＣＳ  Ｓｅｒｖｉｃｅ  Ｒｅｑｕｅｓｔ）を送信し（Ｓ２４）、前記Ｈ−ＧＭＬＣ４５は、ＰＰＲ（図示せず）に接続して前記使用者５５の位置情報に関するプライバシー設定を確認する（Ｓ２５）。ここで、前記プライバシー設定を確認する過程で、前記Ｈ−ＧＭＬＣ４５は位置追跡の可能性を確認する。
【００６５】
前記使用者５５に対する位置追跡が可能である場合、前記Ｈ−ＧＭＬＣ４５は、Ｖ−ＧＭＬＣ４９とＳＧＳＮ及び／又はＶＭＳＣ／ＭＳＣ５１のアドレスを確認するために、前記ＨＬＲ／ＨＳＳ４７にルーティング情報要求メッセージ（例えば、Ｓｅｎｄ  Ｒｏｕｔｉｎｇ  Ｉｎｆｏ  Ｆｏｒ  ＬＣＳ）を送信し（Ｓ２６）、前記使用者５５に関するＳＧＳＮ及び／又はＶＭＳＣ／ＭＳＣ５１とＶ−ＧＭＬＣ４９のアドレスをルーティング情報要求確認メッセージにより前記ＨＬＲ／ＨＳＳ４７から受信する（Ｓ２７）。
前記Ｈ−ＧＭＬＣ４５は、前記ルーティング情報要求確認メッセージに含まれるＶ−ＧＭＬＣ４９のアドレスを確認して該当Ｖ−ＧＭＬＣ４９に位置情報要求メッセージを送信する（Ｓ２８）。前記位置情報要求メッセージを受信したＶ−ＧＭＬＣ４９は、前記使用者５５の位置追跡のために該当使用者５５とＭＴ−ＬＲ手順を行う（Ｓ２９）。前記ＭＴ−ＬＲ手順は、詳細に後述する。
【００６６】
前記Ｖ−ＧＭＬＣ４９は、前記ＭＴ−ＬＲ手順により計算された使用者５５の位置情報を位置情報応答メッセージ（例えば、ＬＣＳ  Ｓｅｒｖｉｃｅ  Ｒｅｓｐｏｎｓｅ）を利用して前記Ｈ−ＧＭＬＣ４５に伝送する（Ｓ３０）。前記位置情報応答メッセージを受信したＨ−ＧＭＬＣ４５は、該当使用者５５の位置情報がプライバシーにおいて設定した好みの地域に該当しているか否かを決定するために、該当使用者５５のプライバシー設定を確認する（Ｓ３１）。
【００６７】
前記プライバシー設定を確認する過程（Ｓ２５、Ｓ３１）で、前記プライバシープロファイルが本発明で追加されたものであると確認された場合、すなわち前記プライバシープロファイルが使用者の現在位置に基づいて通知及び検証を要求するためのプロファイルである場合、前記Ｈ−ＧＭＬＣ４５は、使用者５５の位置情報を前記ＬＣＳクライアント５１に報告するか否かを検証する一連の過程（Ｓ３２〜Ｓ３６）を行う。
【００６８】
前記使用者５５のプライバシープロファイルが特定位置又は地域で通知及び検証を要求するプロファイルであり、現在使用者の位置又は地域が通知及び検証を行う必要のある好みの地域である場合、前記Ｈ−ＧＭＬＣ４５は、ルーティング情報要求メッセージ（例えば、Ｓｅｎｄ  Ｒｏｕｔｉｎｇ  Ｉｎｆｏ  Ｆｏｒ  ＬＣＳ）を前記ＨＬＲ／ＨＳＳ４７に送信してＶ−ＧＭＬＣ４９とＳＧＳＮ及び／又はＶＭＳＣ／ＭＳＣ５１のアドレスを要求し（Ｓ３２）、ルーティング情報要求確認メッセージ（例えば、Ｓｅｎｄ  Ｒｏｕｔｉｎｇ  Ｉｎｆｏ  Ｆｏｒ  ＬＣＳ  ａｃｋ）により前記アドレス情報を前記ＨＬＲ／ＨＳＳ４７から受信する（Ｓ３３）。ここで、前記ＳＧＳＮ及び／又はＶＭＳＣ／ＭＳＣ５１とＶ−ＧＭＬＣ４９のアドレスを確認する過程（Ｓ３２、Ｓ３３）は、前記Ｈ−ＧＭＬＣ４５が前記アドレス情報を認知している場合に選択的に行われる。
【００６９】
前記Ｈ−ＧＭＬＣ４５は、前記使用者５５が移動したネットワークのＶ−ＧＭＬＣ４９に使用者通知及び検証を要求する通知要求メッセージを送信し（Ｓ３４）、前記通知要求メッセージを受信したＶ−ＧＭＬＣ４９は、位置情報を報告するか否かを確認するために該当使用者５５と通知手順を行う（Ｓ３５）。ここで、本発明による通知手順は、図面を参照して詳述する。
【００７０】
前記Ｖ−ＧＭＬＣ４９は、前記通知手順により使用者５５の位置情報を前記ＬＣＳクライアント４１に報告するか否かを確認し、その結果を通知応答メッセージに含んで前記Ｈ−ＧＭＬＣ４５に伝送する（Ｓ３６）。ここで、前記応答メッセージに含まれる結果は、属性、パラメータ、エレメント、バリューなどの指示で表現できる。前記Ｖ−ＧＭＬＣ４９が前記通知手順中に前記使用者５５から検証結果を受信していない場合、前記Ｖ−ＧＭＬＣ４９は、内部タイマーを利用して所定時間をカウントした後、検証結果が受信されなかったという結果を含む前記通知応答メッセージをＨ−ＧＭＬＣ４５に送信する。
【００７１】
前記Ｈ−ＧＭＬＣ４５は、前記通知応答メッセージに含まれる結果値又は位置情報伝送条件との整合性によって前記使用者５５の位置情報を含む位置情報応答メッセージを前記Ｒ−ＧＭＬＣ４３に送信し（Ｓ３７）、前記Ｒ−ＧＭＬＣ４３は、前記位置情報応答メッセージを前記ＬＣＳクライアント４１に送信する（Ｓ３８）。ここで、前記通知応答メッセージに前記使用者の位置情報報告を承認しない値もしくは指示が含まれているか、予め設定された位置情報の伝送条件を満たしていない場合、前記Ｈ−ＧＭＬＣ４５は、位置情報報告ができないということを前記ＬＣＳクライアント４１に通知する。
【００７２】
図３及び図４は、図２に示すＭＴ−ＬＲ手順（Ｓ２９）を詳細に示す信号フローチャートであり、図２のＳ２１〜Ｓ２８に該当する過程後に、使用者の現在のサービスネットワークが回線サービス（ＣＳ）ドメインであるかパケットサービス（ＰＳ）ドメインであるかによって異なる方法で実現されるＭＴ−ＬＲ手順である。
【００７３】
図３は、回線サービス（ＣＳ）ドメインにおけるＭＴ−ＬＲ手順を示す信号フローチャートであり、図２のＳ２１からＳ２８に該当する共通過程の実行後、ＧＭＬＣ４９がＶＭＳＣ／ＭＳＣサーバ５１にＰＲＯＶＩＤＥ  ＳＵＢＳＣＲＩＢＥＲ  ＬＯＣＡＴＩＯＮメッセージを送信する（Ｓ４１）。ここで、前記メッセージは、要求された位置情報の種類（例えば、現在位置、速度情報など）、使用者のＩＭＳＩ（Ｉｎｔｅｒｎａｔｉｏｎａｌ  Ｍｏｂｉｌｅ  Ｓｕｂｓｃｒｉｂｅｒ  Ｉｄｅｎｔｉｔｙ）、ＬＣＳ  ＱｏＳ（Ｌｏｃａｔｉｏｎ  Ｓｅｒｖｉｃｅ  Ｑｕａｌｉｔｙ  ｏｆ  Ｓｅｒｖｉｃｅ）情報（例えば、正確度、応答時間など）などを含む。
【００７４】
前記ＶＭＳＣ／ＭＳＣサーバ５１は、ＲＡＮ５３を介して前記使用者５５を呼び出して認証過程を行い（Ｓ４２）、前記使用者５５に関する位置情報と関連して該当使用者５５に対する通知及び検証が必要である場合、前記使用者５５に位置情報通知メッセージ（例えば、ＬＣＳ  Ｌｏｃａｔｉｏｎ  Ｎｏｔｉｆｉｃａｔｉｏｎ）を送信する（Ｓ４３）。ここで、前記通知及び検証が必要であるか否かは、図２のＳ３１のプライバシーチェック過程でプライバシープロファイルにより確認できる。
【００７５】
前記位置情報通知メッセージに対する前記使用者５５の検証が必要である場合、該当使用者５５は、前記ＶＭＳＣ／ＭＳＣサーバ５１に検証応答メッセージ（例えば、ＬＣＳ  Ｌｏｃａｔｉｏｎ  Ｎｏｔｉｆｉｃａｔｉｏｎ  Ｒｅｔｕｒｎ）を送信し（Ｓ４４）、前記ＶＭＳＣ／ＭＳＣサーバ５１は、前記ＲＡＮ５３に位置情報要求メッセージを送信する（Ｓ４５）。
【００７６】
前記ＲＡＮ５３及び使用者５５は、実際に位置追跡を行い（Ｓ４６）、前記ＲＡＮ５３は、計算された位置情報を位置情報応答メッセージにより前記ＶＭＳＣ／ＭＳＣサーバ５１に伝送する（Ｓ４７）。前記ＶＭＳＣ／ＭＳＣサーバ５１は、前記計算された位置情報をＰＲＯＶＩＤＥ  ＳＵＢＳＣＲＩＢＥＲ  ＬＯＣＡＴＩＯＮ  ＲＥＳＰＯＮＳＥメッセージを利用して前記ＧＭＬＣ４９に伝送する（Ｓ４８）。
【００７７】
次に、図２のＳ３０、Ｓ３７、及びＳ３８に該当する共通のＭＴ−ＬＲ手順が行われる。
【００７８】
図４は、パケットサービスドメインにおけるＭＴ−ＬＲ手順を示す信号フローチャートであり、図２のＳ２１〜Ｓ２８に該当する共通過程の実行後、ＧＭＬＣ４９がＳＧＳＮ５１にＰＲＯＶＩＤＥ  ＳＵＢＳＣＲＩＢＥＲ  ＬＯＣＡＴＩＯＮメッセージを伝送する（Ｓ５１）。ここで、前記メッセージは、要求された位置情報の種類（例えば、現在位置、速度情報など）、使用者のＩＭＳＩ、及びＬＣＳ  ＱｏＳ情報（例えば、正確度、応答時間など）などを含む。
【００７９】
前記ＳＧＳＮ５１は、前記ＲＡＮ５３を介して前記使用者５５を呼び出して認証手順を行い（Ｓ５２）、また、前記使用者５５とセキュリティ手順を行う（Ｓ５３）。
【００８０】
前記使用者５５の位置情報と関連して該当使用者５５に通知及び検証が必要である場合、前記ＳＧＳＮ５１は、該当使用者５５に位置情報通知メッセージ（例えば、ＬＣＳ  Ｌｏｃａｔｉｏｎ  Ｎｏｔｉｆｉｃａｔｉｏｎ）を送信し（Ｓ５４）、必要に応じて前記位置情報通知メッセージに対する応答として検証応答メッセージ（例えば、ＬＣＳ  Ｌｏｃａｔｉｏｎ  Ｎｏｔｉｆｉｃａｔｉｏｎ  Ｒｅｔｕｒｎ）を該当使用者５５から受信する（Ｓ５５）。ここで、前記通知及び検証が必要であるか否かは、図２のＳ３１のプライバシーチェック過程でプライバシープロファイルにより確認できる。
【００８１】
前記ＳＧＳＮ５１は、前記ＲＡＮ５３に位置情報要求メッセージを送信し（Ｓ５６）、前記ＲＡＮ５３及び使用者５５は、メッセージ交換により位置追跡を行う（Ｓ５７）。前記ＲＡＮ５５は、計算された位置情報を位置情報応答メッセージにより前記ＳＧＳＮ５１に伝送し（Ｓ５８）、前記ＳＧＳＮ５１は、ＰＲＯＶＩＤＥ  ＳＵＢＳＣＲＩＢＥＲ  ＬＯＣＡＴＩＯＮ  ＲＥＳＰＯＮＳＥメッセージを利用して前記ＧＭＬＣ４９に前記計算された位置情報を伝送する（Ｓ５９）。
【００８２】
次に、図２のＳ３０、Ｓ３７、Ｓ３８に該当する共通のＭＴ−ＬＲ手順が行われる。
【００８３】
図３及び図４のＧＭＬＣは、図２のＶ−ＧＭＬＣ４９であり、ＬＣＳクライアント４１が位置情報を要求した使用者５５が現在属しているネットワークのＧＭＬＣである。
【００８４】
図５及び図６は、図２に示す通知手順（Ｓ３５）を詳細に示す信号フローチャートであり、図２のＳ２１〜Ｓ３４に該当するＭＴ−ＬＲ手順を行った後に使用者の属する現在のサービスネットワークが回線サービス（ＣＳ）ドメインであるかパケットサービス（ＰＳ）ドメインであるかによって異なる方法で実現される通知手順を説明する。
【００８５】
本発明において、使用者は、特定の好みの地域内で使用者の位置情報が第３の使用者又は他のネットワークのエンティティに伝送される時、使用者が位置情報報告に対する通知及び検証手順を行うようにプライバシーを設定することができる。
【００８６】
前記使用者が現在好みの地域内に位置し、その地域に対して設定しておいたプライバシープロファイルが通知及び検証手順を要求する場合、前記使用者の位置情報を伝送するか否かを確認するために前記通知手順を行う。
【００８７】
図５は、回線サービス（ＣＳ）ドメインにおける通知手順を示す信号フローチャートである。図２のＳ２１〜Ｓ３４に該当するＭＴ−ＬＲ手順（すなわち、ＣＳ及びＰＳドメインに対するＭＴ−ＬＲ手順）が行われた後、ＧＭＬＣ４９がＶＭＳＣ／ＭＳＣサーバ５１に通知要求メッセージ（例えば、Ｐｒｏｖｉｄｅ  Ｓｕｂｓｃｒｉｂｅｒ  Ｌｏｃａｔｉｏｎ）を送信する（Ｓ６１）。ここで、前記ＧＭＬＣ４９は、前記通知要求メッセージを利用して前記ＶＭＳＣ／ＭＳＣサーバ５１に位置情報伝送の通知及び検証要求を伝送する。
【００８８】
前記ＶＭＳＣ／ＭＳＣサーバ５１は、前記ＲＡＮ５３を介して前記使用者５５を呼び出して認証過程を行い（Ｓ６２）、使用者５５に現在位置情報と関連した通知及び検証要求を通知する位置情報通知メッセージ（例えば、ＬＣＳ  Ｌｏｃａｔｉｏｎ  Ｎｏｔｉｆｉｃａｔｉｏｎ）を送信する（Ｓ６３）。
【００８９】
前記位置情報通知メッセージに対する前記使用者５５の検証が必要である場合、該当使用者５５は、前記ＶＭＳＣ／ＭＳＣサーバ５１に検証応答メッセージ（例えば、ＬＣＳ  Ｌｏｃａｔｉｏｎ  Ｎｏｔｉｆｉｃａｔｉｏｎ  Ｒｅｔｕｒｎ）を送信し（Ｓ６４）、前記ＶＭＳＣ／ＭＳＣサーバ５１は、前記位置情報と関連した通知及び検証結果を通知応答メッセージ（例えば、Ｐｒｏｖｉｄｅ  Ｓｕｂｓｃｒｉｂｅｒ  Ｌｏｃａｔｉｏｎ  ａｃｋ）により前記ＧＭＬＣ４９に伝送する（Ｓ６５）。ここで、前記応答メッセージに含まれる結果は、属性、パラメータ、エレメント、バリューなどの指示で表現できる。
【００９０】
その後、前記通知応答メッセージによって前記使用者５５の位置情報がＬＣＳクライアント４１に伝送されることもあり、伝送されないこともある。
【００９１】
図６は、パケットサービス（ＰＳ）ドメインにおける通知手順を示す信号フローチャートである。図２のＳ２１〜Ｓ３４に該当するＭＴ−ＬＲ手順が行われた後、ＧＭＬＣ４９がＳＧＳＮ５１に通知要求メッセージ（例えば、Ｐｒｏｖｉｄｅ  Ｓｕｂｓｃｒｉｂｅｒ  Ｌｏｃａｔｉｏｎ）を送信する（Ｓ７１）。ここで、前記ＧＭＬＣ４９は、前記ＳＧＳＮ５１に位置情報伝送に対する通知及び検証要求を伝送する。
【００９２】
前記ＳＧＳＮ５１は、前記ＲＡＮ５３を介して前記使用者５５を呼び出して認証過程を行い（Ｓ７２）、該当使用者５５とセキュリティ手順を行った後（Ｓ７３）、使用者５５に現在位置情報と関連した通知及び検証要求を通知する位置情報通知メッセージ（例えば、ＬＣＳ  Ｌｏｃａｔｉｏｎ  Ｎｏｔｉｆｉｃａｔｉｏｎ  Ｉｎｖｏｋｅ）を送信する（Ｓ７４）。
【００９３】
前記位置情報通知メッセージに対する前記使用者５５の検証が必要である場合、該当使用者５５は、前記ＳＧＳＮ５１に検証応答メッセージ（例えば、ＬＣＳ  Ｌｏｃａｔｉｏｎ  Ｎｏｔｉｆｉｃａｔｉｏｎ  Ｒｅｔｕｒｎ  Ｒｅｓｕｌｔ）を送信し（Ｓ７５）、前記ＳＧＳＮ５１は、前記位置情報と関連した通知及び検証結果を通知応答メッセージ（例えば、Ｐｒｏｖｉｄｅ  Ｓｕｂｓｃｒｉｂｅｒ  Ｌｏｃａｔｉｏｎ  ａｃｋ）を利用して前記ＧＭＬＣ４９に伝送する（Ｓ７６）。ここで、前記応答メッセージに含まれる結果は、属性、パラメータ、エレメント、バリューなどの指示で表現できる。
【００９４】
次に、前記通知応答メッセージによって前記使用者の位置情報がＬＣＳクライアント４１に伝送されることもあり、伝送されないこともある。
【００９５】
図５及び図６のＧＭＬＣは、図２のＶ−ＧＭＬＣ４９であり、ＬＣＳクライアントにより位置情報を要求した使用者が現在属しているネットワークのＧＭＬＣである。
【００９６】
本発明は、使用者が前記使用者により設定された好みの位置又は好みの地域内に位置しているか否かを確認する過程と、前記使用者が現在前記好みの位置又は好みの地域内に位置する場合、前記位置情報の伝送に対するプライバシーを確認する過程と、前記使用者に前記確認されたプライバシーによって前記位置情報の伝送を通知するための手順を行うように要求する過程と、前記要求に対する応答メッセージを受信して前記使用者の位置情報を伝送するか否かを決定する過程とを含むことを特徴とする。
【００９７】
また、本発明は、ＳＵＰＬネットワークのＳＵＰＬエージェント、ＳＬＰ、及びＳＥＴから構成されたネットワーク構造を利用する特定使用者に対する位置情報を伝送するためのシステムにおいて、使用者が前記使用者により設定された好みの位置又は好みの地域内に位置しているか否かを確認する過程と、前記使用者が現在前記好みの位置又は好みの地域内に位置する場合、前記好みの位置又は好みの地域内の位置情報の伝送に関するプライバシー情報を確認する過程と、前記プライバシー情報によって前記使用者の位置情報をＬＲＥに伝送するか否かを決定する過程とを含むことを特徴とする。
【００９８】
また、本発明の多様な特徴は、次のような方式で記述及び説明される。構成要素の参照番号は指定されていないが、図面及び全体的な説明を参照すれば明確に分かるであろう。
【００９９】
例えば、位置サービスにおいて、特定地理的位置内にターゲットＵＥが位置する場合、条件付き報告をサポートすることができる。このような条件下で、条件付き位置追跡の同意が承認されているアプリケーションは、前記位置追跡手順が行われた後、前記ターゲットＵＥの位置をＬＣＳクライアントに報告する前に前記ターゲットＵＥの使用者に通知して位置追跡同意を取得しなければならない。ターゲットＵＥは、位置追跡要求を通知されて前記位置追跡を承認した後、位置追跡の試みに同意することもできる。
【０１００】
前述された多様な特徴を実行するために、本発明は、様々なタイプのハードウェア及び／又はソフトウェア構成要素（モジュール）を採択できる。例えば、それぞれのハードウェアモジュールは、前記方法の段階を行うために必要な多様な回路と構成要素を含む。また、それぞれのソフトウェアモジュール（プロセッサ及び／又は他のハードウェアにより行われる）は、本発明の方法の段階を行うために必要な多様なコードとプロトコルを含む。
【０１０１】
図面を参照して説明した前述の実施形態と本発明の長所は単なる例示にすぎず、本発明を当業者に限定するものではない。特に、本発明の概念と内容は、一般的な技術に基づいて類似した方法で動作する多様な通信方式に適用できるため、本発明は、他のタイプの通信仕様（例えば、３ＧＰＰ、３ＧＰＰ２、４Ｇ、ＩＥＥＥ、ＯＭＡ（例えば、ＳＵＰＬネットワークなど））に準拠した通信システムにおいて採択して実現することもできる。
【０１０２】
本発明の説明は例示にすぎず、特許請求の範囲を限定するものではない。当該技術分野の通常の知識を持つ者であれば多様な代案、変更、変形が可能であることを理解できるであろう。
【図面の簡単な説明】
【０１０３】
【図１】一般的なプライバシーチェック方法を示す信号フローチャートである。
【図２】本発明による位置情報サービス提供方法の一実施形態を示す信号フローチャートである。
【図３】図２のＭＴ−ＬＲ手順を詳細に示す信号フローチャートである。
【図４】図２のＭＴ−ＬＲ手順を詳細に示す信号フローチャートである。
【図５】図２の通知手順を詳細に示す信号フローチャートである。
【図６】図２の通知手順を詳細に示す信号フローチャートである。
【図１】
0004703721.tif 000002
【図２】
0004703721.tif 000003
【図３】
0004703721.tif 000004
【図４】
0004703721.tif 000005
【図５】
0004703721.tif 000006
【図６】
0004703721.tif 000007